(57)【特許請求の範囲】
【請求項１】
一定の間隔を隔てて互いに平行に配置された一方の壁と他方の壁を有する二重壁のブロー成形体に、前記一方の壁と他方の壁を連結するリブが形成され、前記リブは前記一方の壁から連続して前記他方の壁に向けて延びる第１リブと、前記他方の壁から連続して前記一方の壁に向けて延びる第２リブからなり、前記第１リブと第２リブは共に複数列存在して平面視で互いに交差し、前記第１リブは長さ方向に沿った一部又は全部の領域においてその頂部が前記他方の壁の内側に溶着し、前記第２リブは長さ方向に沿った一部の領域においてその頂部が前記一方の壁の内側に溶着していることを特徴とするブロー成形体。
【請求項２】
前記第１，第２リブはそれぞれの列が互いに平行であることを特徴とする請求項１に記載されたブロー成形体。
【請求項３】
前記第１，第２リブは、それぞれ両側面部と頂部で構成される断面略台形状をなすリブか、全体が互いに溶着して板状となった隠しリブか、断面略台形状をなす部分と頂部側が互いに溶着して板状となった部分からなるリブか、又はそれらの組み合わせからなることを特徴とする請求項１又は２に記載されたブロー成形体。
【発明の詳細な説明】
【技術分野】
【０００１】
本発明は、補強用のリブが形成された二重壁のブロー成形体に関する。
【背景技術】
【０００２】
特許文献１には、二重壁の一方の壁と他方の壁を連結する複数列のリブが形成された偏平なブロー成形体が記載されている。特許文献１の図１には、（１）二重壁の一方の壁から連続して他方の壁に向けて延び、頂部が前記他方の壁の内側に溶着したリブが開示され、同文献の図５には、（２）二重壁の一方の壁及び他方の壁から連続して対抗する壁に向けて延び、それぞれの頂部が二重壁の厚さ方向中央部で出会って互いに溶着したリブが開示されている。
特許文献２にも、二重壁の一方の壁と他方の壁を連結する複数列のリブが形成されたブロー成形体が記載されている。同文献２の図７に開示されたリブは、上記（２）のタイプである。また、同文献の図１１に開示されたリブは、上記（２）と同タイプだが、互いに直交するリブが二重壁の両壁から形成され、それぞれの頂部が二重壁の厚さ方向中央部で出会って互いに溶着している。
【先行技術文献】
【特許文献】
【０００３】
【特許文献１】特開２００３−１６５１５２号公報
【特許文献２】国際公開２００４／１０１３２３号公報
【発明の概要】
【発明が解決しようとする課題】
【０００４】
特許文献１，２に開示された二重壁のブロー成形体は、それぞれ二重壁を構成する両壁の間に形成されたリブにより剛性が高められている。しかし、このブロー成形体には次のような問題があることが分かった。
上記（１）のタイプのリブを形成する場合、ブロー成形金型の突起が最初に接触するリブの頂部が最初に冷却され，その部分が肉厚が厚いままで他方の壁の内側に溶着し、一方の壁面はブロー成形によりパリソンが引き延ばされて薄肉化する。このように二重壁の一方の壁面が相対的に薄肉化することにより、ブロー成形体の曲げ剛性が十分高められないという問題がある。また、リブの長さ方向が一方向だけに揃っているので、曲げ線がリブの長さ方向に平行な曲げに対する剛性は相対的に低く、曲げ線がリブの長さ方向に交差する曲げでもリブの倒れが生じやすい。
【０００５】
上記（２）のタイプのリブを形成する場合、同じくブロー成形金型の突起が最初に接触するリブの頂部が最初に冷却され、その部分が肉厚が厚いままで二重壁の中央部で出会って互いに溶着し、両方の壁面ではブロー成形によりパリソンが引き延ばされて薄肉化する。このように二重壁の中央部に肉厚の大きい箇所が集中し、一方で二重壁の壁面が薄肉化することにより、ブロー成形体の曲げ剛性が十分高められないという問題がある。
【０００６】
リブの方向が一方向だけに揃っている場合（特許文献１の図１，５、特許文献２の図７参照）、上記のとおり、曲げ線がリブの長さ方向に平行な曲げに対する剛性は相対的に低いが、リブが交差している場合（特許文献２の図１１参照）は、特定方向の曲げに対して剛性が低下することを防止できる。しかし、後者の場合、互いに直交するリブを二重壁の両壁から形成している関係で、二重壁の中央部に肉厚の大きい箇所が前者の場合以上に集中し、かつ両方の壁面が前者の場合以上に薄肉化し、これによりブロー成形体の全体的な曲げ剛性が十分高められないという問題がある。
【０００７】
本発明は、以上述べた従来技術の問題点に鑑みてなされたもので、二重壁のブロー成形体、主として二重壁の偏平なブロー成形体の特定方向の曲げに対する剛性の低下を防止し、かつブロー成形体の全体的な曲げ剛性を高めることを目的とする。
【課題を解決するための手段】
【０００８】
本発明に係るブロー成形体は、二重壁のブロー成形体に、二重壁の一方の壁と他方の壁を連結するリブが形成され、前記リブは前記一方の壁から連続して前記他方の壁に向けて延びる第１リブと、前記他方の壁から連続して前記一方の壁に向けて延びる第２リブからなり、前記第１リブと第２リブは共に複数列存在して平面視で互いに交差し、前記第１リブは長さ方向に沿った一部又は全部の領域においてその頂部が前記他方の壁の内側に溶着し、前記第２リブは長さ方向に沿った一部の領域においてその頂部が前記一方の壁の内側に溶着していることを特徴とする。ここで一部とは全部ではないことを意味する。
【０００９】
前記第１，第２リブは例えばそれぞれの列が互いに平行であり、又は／及び、前記第１，第２リブは例えば互いに直交するように交差することが望ましい。また、第１リブと第２リブが交差する箇所では、両リブは互いに溶着していることが望ましい。しかし、これらのことは必須ではない。
前記第１，第２リブは、上記に記載した要件を満たすのであれば、種々の断面形態（長さ方向に垂直な面における断面形態）を取り得る。例えば、それぞれ両側面部と頂部で構成される断面略台形状をなすリブ（特許文献１の図７のリブ３参照）、全体が互いに溶着して板状となった隠しリブ（特許文献１の図１０のリブ４参照）、断面略台形状をなす部分と頂部側が互いに溶着して板状となった部分からなるリブ（特許文献１の図１のリブ１１５参照）、又は長手方向に沿って以上の形態を組み合わせたリブ（特許文献１の図１のリブ１４と１５参照）等が考えられる。
【発明の効果】
【００１０】
本発明によれば、第１リブ及び第２リブが平面視で互いに交差し、かつ第１リブ及び第２リブはそれぞれの頂部が、その長さ方向の一部又は全部の領域において対向壁の内側に溶着し、一方の壁及び他方の壁とも強化している。これにより、二重壁の特に偏平なブロー成形体の特定方向の曲げに対する剛性の低下を防止し、かつ全体的な曲げ剛性を高めることができる。
【図面の簡単な説明】
【００１１】
【図１】本発明に係る第１ブロー成形体の一部切り欠き斜視断面図である。
【図２】図１のＡ−Ａ断面図である。
【図３】図１のＢ−Ｂ断面図である。
【図４】図１のＣ−Ｃ断面図である。
【図５】第１ブロー成形体を製造する一対のブロー成形金型の一部斜視図（ａ），（ｂ）である。
【図６】本発明に係る第２ブロー成形体の一部切り欠き斜視断面図である。
【図７】第２ブロー成形体を製造する一対のブロー成形金型のうち、一方の金型の一部斜視図（ａ），（ｂ）、及び他方の金型の一部斜視図（ｃ）である。
【図８】本発明に係る第３ブロー成形体の斜視図である。
【図９】第３ブロー成形体を製造する一対のブロー成形金型のうち、一方の金型の一部斜視図（ａ），（ｂ）、及び他方の金型の一部斜視図（ｃ），（ｄ）である。
【図１０】本発明に係る第４ブロー成形体の斜視図である。
【図１１】第４ブロー成形体を製造する一対のブロー成形金型のうち、一方の金型の一部斜視図（ａ）、及び他方の金型の一部斜視図（ｂ），（ｃ）である。
【図１２】本発明に係る第５ブロー成形体の斜視図である。
【図１３】第５ブロー成形体を製造する一対のブロー成形金型の一部斜視図（ａ），（ｂ）である。
【発明を実施するための形態】
【００１２】
以下、図１〜図１３を参照して、本発明に係るブロー成形体についてより具体的に説明する。
（第１ブロー成形体）
図１〜図４に示すブロー成形体（第１ブロー成形体）は、二重壁（互いに平行に配置された壁１及び壁２）の間に、複数個の互いに平行なリブ３と、平面視でリブ３に直角に交差する複数個の互いに平行なリブ４（４Ａ，４Ｂ）を有する。リブ３は壁１から連続して壁２に向けて延びるリブであり、リブ４は壁２から連続して壁１に向けて延びるリブである。なお、図１において、２点鎖線は破断線である。
【００１３】
リブ３は、対向する側壁５，６間のほぼ全長にわたる長さを有し、壁１から連続して壁２に向けて延び、その頂部が長さ方向の領域Ｘ１において壁２の内側に溶着し、その他の領域（長さ方向の領域Ｘ２）において壁１，２の中間でリブ４の頂部に溶着している（図２参照）。この例では領域Ｘ１がリブ３の長さの大部分を占めている。
リブ３は、長さ方向に垂直な断面をみると、前記第１の領域Ｘ１では、壁１から壁２に向けて延びる両側辺部３ａ，３ｂと、やや狭くなった頂辺部３ｃ（頂部）で構成され、全体として略台形状に窪んだ形態をなし、頂辺部３ｃ（頂部）が壁２の内側に溶着している。また、前記第２の領域Ｘ２では、壁１から壁２に向けて延びる両側辺部３ａ，３ｂと、頂辺部３ｄ、及び頂片部３ｄの上に形成された板状部３ｅで構成され、全体として略台形状に窪んだ部分に板状部３ｅが乗った形態をなす。板状部３ｅの頂部が二重壁（壁１，２）の厚さ方向の中間位置で第２リブ４の頂部に溶着している。
【００１４】
リブ４は、長さ方向に垂直な方向において交互に形成された２種のリブ（リブ４Ａとリブ４Ｂ）により構成される。両者とも、対向する側壁（いずれも図示せず）間のほぼ全長にわたる長さを有し、壁２から連続して壁１に向けて延びている。
リブ４Ａは、その頂部が長さ方向の第１の領域Ｙ１において壁１の内側に溶着し、その他の領域（長さ方向の第２の領域Ｙ２）において二重壁（壁１，２）の厚さ方向の中間位置でリブ３の頂部（板状部３ｅの頂部）に溶着している。この例では、第１の領域Ｙ１がリブ４Ａの長さの大部分を占めている。リブ４Ａは、長さ方向に垂直な断面をみると、前記第１の領域Ｙ１では、壁２から壁１に向けて延びる両側辺部４Ａａ，４Ａｂと、やや狭くなった頂辺部４Ａｃ（頂部）で構成され、全体として略台形状に窪んだ形態をなす。頂片部４Ａｃ（頂部）が壁１の内側に溶着している。また、前記第２の領域Ｙ２では、壁２から壁１に向けて延びる両側辺部４Ａａ，４Ａｂと、中間頂片部４Ａｄ、及び中間頂片部４Ａｄの上に形成された板状部４Ａｅで構成され、全体として略台形状に窪んだ部分に板状部４Ａｅが乗った形態をなす。板状部４Ａｅの頂部がリブ３の頂部（板状部３ｅの頂部）に溶着している。
【００１５】
リブ４Ｂは、その頂部が長さ方向の第１の領域Ｚ１において壁１の内側に溶着し、長さ方向の第２の領域Ｚ２において壁１の内側から少し距離を置き、その他の領域（長さ方向の第３の領域Ｚ３）においてリブ３により分断されている。この例では、第１の領域Ｚ１がリブ４Ｂの長さの略半分を占めている。リブ４Ｂは、長さ方向に垂直な断面をみると、前記第１の領域Ｚ１では、壁２から壁１に向けて延びる両側辺部４Ｂａ，４Ｂｂと、やや狭くなった頂辺部４Ｂｃ（頂部）で構成され、全体として略台形状に窪んだ形態をなす。頂辺部４Ｂｃ（頂部）が壁１の内側に溶着している。前記第２の領域Ｚ２では、壁２から壁１に向けて延びる両側辺部４Ｂａ，４Ｂｂと、中間頂片部４Ｂｄ、及び中間頂片部４Ｂｄの上に形成された板状部４Ｂｅで構成され、全体として略台形状に窪んだ部分に板状部４Ｂｅが乗った形態をなす。板状部４Ｂｅの頂部は壁１の内側から少し距離を置いている。前記第３の領域Ｚ３では、第２リブ４Ｂはリブ３により分断（リブが立ち上がっていない）された形となり、交差箇所では全体的にリブ３に密着している。
【００１６】
第１ブロー成形体の壁１，２の間に第１リブ３及び第２リブ４Ａ，４Ｂを形成するための一対の金型（コーナー部近傍）を図５に示す。一方の金型８のキャビティ面９には、キャビティ内に突出する複数列の板状の突起列１１が、列の方向をピンチオフ部１２の一辺１２ａに対し垂直方向に向けて形成されている。各突起列１１には長さ方向に沿って等間隔に、溝１１ａが形成されている。各突起列１１における溝１１ａの位置は、各突起列１１を列の方向に垂直にみたとき、一列に揃っている。この突起列１１はリブ３を形成するためのものである。
【００１７】
他方の金型１３のキャビティ面１４には、キャビティ内に突出するそれぞれ複数列の板状の突起列１５，１６が、列の方向をピンチオフ部１７の一辺１７ａに対し垂直方向に向けて交互に形成されている。突起列１５には長さ方向に沿って等間隔に、溝１５ａが形成されている。突起列１６は複数の板条突起１６Ａが長さ方向に等間隔に、列をなして形成されたもので、各板状突起１６Ａの中央部に溝１６ａが形成され、かつ各板状突起１６Ａ，１６Ａ間には所定の隙間１６ｂがある。各突起列１５，１６を列の方向に垂直にみたとき、溝１５ａ、溝１６ａ及び隙間１６ｂはそれぞれが一列に揃い、かつ溝１５ａと隙間１６ｂは同じ列上に位置する。この突起列１５，１６はリブ４Ａ，４Ｂを形成するためのものである。
金型８，１３が閉じたとき、突起列１１と突起列１５，１６は互いに垂直に交差し、突起列１１が突起列１５の溝１５ａと突起列１６の隙間１６ｂに嵌り込む。すなわち、突起列１１の突起部１１ｂが突起列１６の隙間１６ｂに、突起列１１の溝１１ａが突起列１５の溝１５ａに嵌り込む。
【００１８】
金型８，１３の突起列１１，１５，１６とリブ３及びリブ４Ａ、４Ｂの位置関係を図２〜４を参照して説明すると、次のようになる。金型８に形成された突起列１１のうち、突起部１１ｂによりリブ３の第１の領域Ｘ１が形成され、溝１１ａ（突起部１１ｂに挟まれた箇所）に対応してリブ３の第２の領域Ｘ２が形成される。金型１３に形成された突起列１５のうち、突起部１５ｂによりリブ４Ａの第１の領域Ｙ１が形成され、溝１５ａ（突起部１５ｂに挟まれた箇所）に対応してリブ４Ａの第２の領域Ｙ２が形成される。金型１３に形成された突起列１６のうち、突起部１６ｃによりリブ４Ｂの第１の領域Ｚ１が形成され、溝１６ａ（突起部１６ｃに挟まれた箇所）に対応してリブ４Ｂの第２の領域Ｚ２が形成され、隙間１６ｂ（突起部１６ｃに挟まれた箇所）に対応して第２リブ４Ｂの第３の領域Ｚ３（リブが立ち上がっていない箇所）が形成される。
【００１９】
なお、リブ３の第２の領域Ｘ２、リブ４Ａの第２の領域Ｙ２、及びリブ４Ｂの第２の領域Ｚ２では、それぞれ略台形状に窪んだ部分に板状部が乗った形態のリブが形成されている。この形態のリブ（特に板状部）は、特許文献１に記載されたリブ（同文献の番号で１５）と同様のメカニズムで形成される。
例えばリブ４Ｂの板状部４Ｂｅは、突起列１６の溝１６ａ（突起部１６ｃに挟まれた箇所）に形成されるが、この箇所では、パリソンは型締め時に両側の高い突起部１６ｃ間に張設された形になり、大部分が低い溝１６ａに密着し切れないまま折り返され、それがエア圧により圧着して図１，４に示すように少し垂れ下がったような板状部４Ｂｅが形成される。リブ３の板状部３ｅとリブ４Ａの板状部４Ａｅも同様であるが、それぞれリブ３とリブ４Ａの交差箇所に形成されるため、互いに押し合って垂れ下がりが大きくなっている。
【００２０】
（第２ブロー成形体）
図６に示すブロー成形体（第２ブロー成形体）は、二重壁（互いに平行に配置された壁１及び壁２）の間に、複数個の互いに平行なリブ３と、平面視でリブ３に直角に交差する複数個の互いに平行なリブ４（４Ａ，４Ｂ）を有する。リブ３は壁１から連続して壁２に向けて延びるリブであり、リブ４（４Ａ，４Ｂ）は壁２から連続して壁１に向けて延びるリブである。なお、図６において、２点鎖線は同じく破断線である。
【００２１】
第２ブロー成形体を第１ブロー成形体と比較すると、リブ３が板状のいわゆる隠しリブである点で異なる。このような隠しリブ自体は例えば特開平０６−７１７３８号公報に記載されたように周知のものである。リブ４Ａ，４Ｂの形状は第１ブロー成形体のものと同じであり、リブ３との交差箇所も第１ブロー成形体のものと同じである。また、第１ブロー成形体と同様の領域において、リブ３の頂部が壁２の内側と溶着し、リブ４Ａ，４Ｂの頂部が壁１の内側と溶着し、リブ３とリブ４Ａの交差箇所では両者の頂部が二重壁（壁１，２）の厚さ方向の中間位置で互いに溶着し、リブ３とリブ４Ｂの交差箇所ではリブ３によりリブ４Ｂが分断された形になっている。
【００２２】
第２ブロー成形体の壁１，２の間にリブ３（隠しリブ）及びリブ４Ａ，４Ｂを形成するための一対の金型（コーナー部近傍）を図７に示す。
図７において、一方の金型８には、キャビティ内に突出可能な複数列のスライド板列１１が、列の方向をピンチオフ部１２の一辺１２ａに対し垂直方向に向けて設置されている。スライド板列１１は複数のスライド板１１Ａが列の長さ方向に所定間隔を置いて設置されたものであり、突出したとき（図７（ｂ）参照）他方の金型１３のキャビティ面近傍に達し、後退したとき（図７（ａ）参照）、その先端が金型８のキャビティ面の一部を構成する。他方の金型１３は、図５に示す金型１３と基本的に同じ構造の突起列１５，１６を有する。
【００２３】
金型８，１３が閉じてスライド板列１１が突出したとき、スライド板列１１と突起列１５，１６は互いに垂直に交差し、スライド板列１１の各スライド板１１Ａが突起列１６の隙間１６ｂに嵌り込む。隣接するスライド板１１Ａ，１１Ａ間の隙間１１ａが、突起列１５の溝１５ａの位置にくる。この型締めにより、突起列１５，１６の先端と金型８のキャビティ面の間に挟まれたパリソンが互いに溶着し、かつスライド板列１１の先端と金型１３のキャビティ面の間に挟まれたパリソンが互いに溶着する。スライド板列１１は、例えばキャビティ内へのエア吹き込み開始と同時又は開始前後の適宜のタイミングで後退させる。
【００２４】
（第３ブロー成形体）
図８に示すブロー成形体（第３ブロー成形体）は、二重壁（互いに平行に配置された壁１及び壁２）の間に、複数個の互いに平行なリブ３と、平面視でリブ３に直角に交差する複数個の互いに平行なリブ４を有する。リブ３は壁１から連続して壁２に向けて延びるリブであり、リブ４は壁２から連続して壁１に向けて延びるリブである。なお、図８において、２点鎖線は同じく破断線である。
【００２５】
第３ブロー成形体は、リブ３が隠しリブである点は第２ブロー成形体と同じであるが、リブ４が１種類でかつこれも板状の隠しリブである点で第２ブロー成形体と異なる。リブ３の頂部が壁２の内側と溶着し、リブ４の頂部が壁１の内側と溶着しているが、リブ３とリブ４の交差箇所では、リブ３によりリブ４Ｂが分断された形になっている。
【００２６】
第３ブロー成形体の壁１，２の間に、共に隠しリブであるリブ３及びリブ４を形成するための一対の金型（コーナー部近傍）を図９に示す。
図９において、一方の金型８には、キャビティ内に突出可能な複数列のスライド板列１１が、列の方向をピンチオフ部１２の一辺１２ａに対し垂直方向に向けて設置されている。スライド板列１１は複数のスライド板１１Ａが列の長さ方向に所定の小間隔を置いて設置されたものであるが、図９では、１つのスライド板列１１につき１つのスライド板１１Ａのみが描かれている。スライド板列１１は、突出したとき（図９（ｂ）参照）他方の金型１３のキャビティ面近傍に達し、後退したとき（図９（ａ）参照）、その先端が金型８のキャビティ面の一部を構成する。なお、スライド板列１１を複数のスライド板１１Ａで構成したが、列の全長さにわたり１つのスライド板で構成することもできる。
【００２７】
また、他方の金型１３には、キャビティ内に突出可能な複数列のスライド板列１６が、列の方向をピンチオフ部１７の一辺１７ａに対し垂直方向に向けて設置されている。スライド板列１６は複数のスライド板１６Ａが列の長さ方向に所定間隔を置いて設置されたものである。各スライド板列１６における隙間１６ｂの位置は、各スライド板列１６を列の方向に垂直にみたとき、一列に揃っている。また、１つのスライド板１６Ａの長さはスライド板１１Ａに比べて短く設定されている。スライド板列１６は、突出したとき（図９（ｄ）参照）他方の金型８のキャビティ面近傍に達し、後退したとき（図９（ｃ）参照）、その先端が金型１３のキャビティ面の一部を構成する。
【００２８】
金型８，１３が閉じてスライド板列１１，１６が突出したとき、スライド板列１１，１６は互いに垂直に交差し、スライド板列１１の各スライド板１１Ａがスライド板列１６の各スライド板１６Ａの隙間１６ｂに嵌り込む。この型締めにより、スライド板列１１の先端と金型１３のキャビティ面の間に挟まれたパリソンが互いに溶着し、かつスライド板列１６の先端と金型８のキャビティ面の間に挟まれたパリソンが互いに溶着する。スライド板列１１，１６は、例えばキャビティ内へのエア吹き込み開始と同時又は開始前後の適宜のタイミングで後退させる。
【００２９】
（第４ブロー成形体）
図１０に示すブロー成形体（第４ブロー成形体）は、二重壁（互いに平行に配置された壁１及び壁２）の間に、複数個の互いに平行なリブ３と、平面視でリブ３に直角に交差する複数個の互いに平行なリブ４を有する。リブ３は壁１から連続して壁２に向けて延びるリブであり、リブ４は壁２から連続して壁１に向けて延びるリブである。なお、図１０において、２点鎖線は同じく破断線である。
【００３０】
第４ブロー成形体において、リブ３は、長さ方向に垂直な断面を見ると、壁１から壁２に向けて延びる両側辺部３ａ，３ｂと、やや狭くなった頂辺部３ｃ（頂部）で構成され、略台形状に窪んだ形態をなし、リブ４は壁２から壁１に向けて延びる板状の隠しリブである。リブ３の頂辺部３ｃ（頂部）が壁２の内側と溶着し、リブ４の頂部が壁１の内側と溶着しているが、リブ３とリブ４の交差箇所では、リブ４によりリブ３が分断された形になっている。
【００３１】
第４ブロー成形体の壁１，２の間に第１リブ３及び第２リブ４を形成するための一対の金型（コーナー部近傍）を図１１に示す。
図１１において、一方の金型８には、キャビティ内に突出可能な複数列の突起列１１が、列の方向をピンチオフ部１２の一辺１２ａに対し垂直方向に向けて設置されている。突起列１１は複数の突起１１Ａが列の長さ方向に所定間隔を置いて設置されたものである。各突起列１１における隙間１１ａの位置は、各突起列１１を列の方向に垂直にみたとき、一列に揃っている。
【００３２】
また、他方の金型１３には、キャビティ内に突出可能な複数列のスライド板列１６が、
列の方向をピンチオフ部１７の一辺１７ａに対し垂直方向に向けて設置されている。スライド板列１６は複数のスライド板１６Ａが列の長さ方向に所定の小間隔を置いて設置されたものであるが、図１１では、１つのスライド板列１６につき１つのスライド板１６Ａのみが描かれている。スライド板列１６は、突出したとき（図１１（ｂ）参照）他方の金型８のキャビティ面近傍に達し、後退したとき（図１１（ｃ）参照）、その先端が金型１３のキャビティ面の一部を構成する。なお、スライド板列１６を複数のスライド板１６Ａで構成したが、列の全長さにわたり１つのスライド板で構成することもできる。
【００３３】
金型８，１３が閉じてスライド板列１６が突出したとき、突起列１１とスライド板列１６は互いに垂直に交差し、スライド板列１６の各スライド板１６Ａが突起列１１の各突起１１Ａ間の隙間１１ａに嵌り込む。この型締めにより、突起列１１の先端と金型１３のキャビティ面の間に挟まれたパリソンが互いに溶着し、かつスライド板列１６の先端と金型８のキャビティ面の間に挟まれたパリソンが互いに溶着する。突起列１１とスライド板列１６は、例えばキャビティ内へのエア吹き込み開始と同時又は開始前後のタイミングで後退させる。
【００３４】
（第５ブロー成形体）
図１２に示すブロー成形体（第５ブロー成形体）は、二重壁（互いに平行に配置された壁１及び壁２）の間に、複数個の互いに平行なリブ３と、平面視でリブ３に直角に交差する複数個の互いに平行なリブ４を有する。リブ３は壁１から連続して壁２に向けて延びるリブであり、リブ４は壁２から連続して壁１に向けて延びるリブである。なお、図１２において、２点鎖線は同じく破断線である。
【００３５】
第５ブロー成形体において、リブ３は、長さ方向に垂直な断面をみると、壁１から壁２に向けて延びる両側辺部３ａ，３ｂと、やや狭くなった頂辺部３ｃ（頂部）で構成され、略台形状に窪んだ形態をなし、リブ４も同様に、長さ方向に垂直な断面をみると、壁２から壁１に向けて延びる両側辺部４ａ，４ｂと、やや狭くなった頂辺部４ｃ（頂部）で構成され、略台形状に窪んだ形態をなす。リブ３の頂辺部３ｃ（頂部）が壁２の内側と溶着し、リブ４の頂部が壁１の内側と溶着しているが、リブ３とリブ４の交差箇所では、リブ３の頂辺部３ｃ（頂部）とリブ４の頂辺部４ｃ（頂部）３が、二重壁（壁１，２）の厚さ方向の中間位置で溶着している。
【００３６】
第５ブロー成形体の壁１，２の間に第１リブ３及び第２リブ４を形成するための一対の金型（コーナー部近傍）を図１３に示す。
図１３において、一方の金型８には、キャビティ内に突出する複数列の突起列１１が、列の方向をピンチオフ部１２の一辺１２ａに対し垂直方向に向けて設置されている。突起列１１には、長さ方向に沿って等間隔に溝１１ａが形成されている。各突起列１１における隙間１１ａの位置は、各突起列１１を列の方向に垂直にみたとき、一列に揃っている。
また、他方の金型１３にも、突起列１１と同様の突起列１５が設置されている。
【００３７】
金型８，１３が閉じたとき、突起列１１と突起列１５は互いに垂直に交差し、突起列１１の隙間１１ａと突起列１５の隙間１５ａが互いに嵌り込む。この型締めにより、突起列１１の先端と金型１３のキャビティ面の間に挟まれたパリソンが互いに溶着し、突起列１５の先端と金型８のキャビティ面の間に挟まれたパリソンが互いに溶着し、かつ突起列１１，１５の交差箇所において突起列１１と突起列１５の間に挟まれたパリソンが互いに溶着する。
【符号の説明】
【００３８】
１，２  ブロー成形体の壁
３，４，４Ａ，４Ｂ  リブ
８，１３  金型
１１，１５，１６  突起列又はスライド板列
【図１】
0005746869.tif 000002
【図２】
0005746869.tif 000003
【図３】
0005746869.tif 000004
【図４】
0005746869.tif 000005
【図５】
0005746869.tif 000006
【図６】
0005746869.tif 000007
【図７】
0005746869.tif 000008
【図８】
0005746869.tif 000009
【図９】
0005746869.tif 000010
【図１０】
0005746869.tif 000011
【図１１】
0005746869.tif 000012
【図１２】
0005746869.tif 000013
【図１３】
0005746869.tif 000014